(57)【要約】【課題】複数の記録部を有するとともに、記録する日時が重複する予約情報が存在する場合でも、ユーザーの意図した映像音響情報を所定の記録部に記録することが可能な記録再生装置を提供する。【解決手段】このビデオレコーダ（記録再生装置）１は、ＨＤＤドライブ２、ＤＶＤドライブ３、および、ＶＣＲドライブ４の３つの録画部（記録部）を有している。また、制御部２１は、録画部に優先順位を設定することが可能に構成されている。また、録画（記録）する日時が重複する録画予約（予約情報）が存在する場合には、優先順位の高い録画部に録画されるコンテンツの録画予約の実行が優先される。また、録画する日時が重複する録画予約が、優先順位の高い同一の録画部への録画予約である場合には、いずれの録画予約を優先するか設定可能に構成されている。【選択図】図４
2007266816.tif 000002
【特許請求の範囲】
【請求項１】
外部からの信号を受信して複数の映像音響情報を取得するチューナ部と、前記チューナ部によって取得された前記複数の映像音響情報を記録するための複数の記録部と、前記複数の映像音響情報を所定の記録部に記録する日時を、予約情報として、それぞれ登録する予約情報登録手段とを備えた記録再生装置において、
前記予約情報登録手段により登録された複数の予約情報について、記録する日時が重複する予約情報を検出するとともに、記録する日時が重複する予約情報を検出した場合に、所定の表示器の画面上に、記録する日時が重複する予約情報の重複状態を画像表示する画像表示手段を含む重複予約検出手段と、
前記重複予約検出手段によって、記録する日時が重複する予約情報が検出された場合に、前記重複する予約情報のいずれの予約情報を優先するかを選択するため、前記所定の表示器の画面上で、前記記録部に予め優先順位を設定する優先順位設定手段と、
前記優先順位設定手段により設定された優先的に記録が実行される記録部に映像音響情報を記録するための予約情報について、記録する日時が重複する予約情報が検出された場合に、前記重複する予約情報のいずれの予約情報を優先するかを設定する第１選択設定手段と、
優先的に記録が実行される前記記録部に映像音響情報を記録するための予約情報と、前記優先的に記録が実行される記録部以外の前記記録部に映像音響情報を記録するための予約情報とについて、記録する日時が重複する場合に、重複する予約情報のいずれの予約情報を優先するかを設定する第２選択設定手段と、
前記所定の表示器の画面上に表示されるとともに、前記予約情報登録手段により登録された複数の予約情報を画像表示する予約情報表示手段と、
前記予約情報登録手段によって登録された予約情報に基づいて、映像音響情報を前記所定の記録部に記録するとともに、前記重複予約検出手段によって、記録する日時が重複する予約情報が検出された場合に、前記優先順位設定手段、前記第１選択設定手段、または、前記第２選択設定手段により優先的に実行されることが設定された予約情報に基づいて、映像音響情報を前記所定の記録部に記録する予約記録実行手段と、
前記予約記録実行手段によって前記記録部に記録された映像音響情報を前記所定の表示器の画面上に表示する映像音響情報表示手段とをさらに備えることを特徴とする、記録再生装置。
【請求項２】
外部からの信号を受信して複数の映像音響情報を取得するチューナ部と、
前記チューナ部によって取得された前記複数の映像音響情報を記録するための複数の記録部と、
前記複数の映像音響情報を所定の記録部に記録する日時を、予約情報として、それぞれ登録する予約情報登録手段と、
前記予約情報登録手段により登録された複数の予約情報について、記録する日時が重複する予約情報を検出する重複予約検出手段と、
前記重複予約検出手段によって、記録する日時が重複する予約情報が検出された場合に、前記重複する予約情報のいずれの予約情報を優先するかを選択するため、前記記録部に予め優先順位を設定する優先順位設定手段と、
前記優先順位設定手段により設定された優先的に記録が実行される記録部に映像音響情報を記録するための予約情報について、記録する日時が重複する予約情報が検出された場合に、前記重複する予約情報のいずれの予約情報を優先するかを設定する第１選択設定手段と、
前記予約情報登録手段によって登録された予約情報に基づいて、映像音響情報を前記所定の記録部に記録するとともに、前記重複予約検出手段によって、記録する日時が重複する予約情報が検出された場合に、前記優先順位設定手段および前記第１選択設定手段により優先的に実行されることが設定された予約情報に基づいて、映像音響情報を前記所定の記録部に記録する予約記録実行手段とを備えたことを特徴とする、記録再生装置。
【請求項３】
前記優先順位設定手段による優先順位の設定は、所定の表示器の画面上で行われ、
前記重複予約検出手段は、記録する日時が重複する予約情報を検出した場合に、前記所定の表示器の画面上に、記録する日時が重複する予約情報の重複状態を画像表示する画像表示手段をさらに含むことを特徴とする、請求項２に記載の記録再生装置。
【請求項４】
優先的に記録が実行される前記記録部に映像音響情報を記録するための予約情報と、前記優先的に記録が実行される記録部以外の前記記録部に映像音響情報を記録するための予約情報とについて、記録する日時が重複する場合に、重複する予約情報のいずれの予約情報を優先するかを設定する第２選択設定手段をさらに備えることを特徴とする、請求項２または３に記載の記録再生装置。
【請求項５】
前記所定の表示器の画面上に表示されるとともに、前記予約情報登録手段により登録された複数の予約情報を画像表示する予約情報表示手段をさらに備えることを特徴とする、請求項３または４に記載の記録再生装置。
【請求項６】
前記予約記録実行手段によって前記記録部に記録された映像音響情報を表示する映像音響情報表示手段をさらに備え、
前記所定の表示器は、映像音響情報を表示する表示器と同一の表示器であることを特徴とする、請求項３〜５のいずれか１項に記載の記録再生装置。
【発明の詳細な説明】
【技術分野】
【０００１】
この発明は、記録再生装置に関し、特に、予約情報に基づいて、複数の映像音響情報を記録することが可能な記録再生装置に関する。
【背景技術】
【０００２】
従来、録画予約（予約情報）に基づいて、複数のコンテンツ（映像音響情報）を録画（記録）することが可能な記録再生装置が知られている（たとえば、特許文献１または２参照）。
【０００３】
上記特許文献１には、複数の録画部（記録部）を備えるとともに、録画部毎に独立してタイマー予約（予約情報）を登録することが可能な録画装置（記録再生装置）が記載されている。この録画装置は、優先的にタイマー予約録画が実行される録画部（優先録画部）を設定することが可能であるとともに、登録されたタイマー予約において、予約録画時刻が重複するタイマー予約が存在する場合には、優先録画部のタイマー予約録画が優先的に実行されるように構成されている。また、優先録画部のタイマー予約録画開始時刻において、優先録画部以外の録画部のタイマー予約録画が実行されている場合には、優先録画部のタイマー予約録画が実行されないとともに、優先録画部のタイマー予約録画が実行できない旨の警告がなされる。これにより、ユーザーは、現在実行されているタイマー予約録画と優先録画部のタイマー予約録画とを比較することによって、優先順位の高いタイマー予約録画を選択することが可能となる。
【０００４】
また、上記特許文献２には、複数の番組予約（予約情報）を登録することが可能であるとともに、登録された番組予約に対して優先順位を設定することが可能な記録再生装置が記載されている。この記録再生装置では、登録された複数の番組予約において、予約録画時刻が重複する番組予約が存在する場合には、優先順位が高い番組予約録画が優先的に実行されるように構成されている。なお、特許文献２に記載の記録再生装置では、優先順位が高い順に番組予約録画が実行され、予約録画時刻が重複する番組予約が存在する場合でも、予約録画時刻が重複する番組予約が存在する旨の表示はされない。
【０００５】
【特許文献１】特開２００４−２３６２０９号公報
【特許文献２】特開平１１−３５５７０３号公報
【発明の開示】
【発明が解決しようとする課題】
【０００６】
しかしながら、上記特許文献１に記載された録画装置（記録再生装置）では、優先録画部のタイマー予約録画開始時刻において、他の録画部のタイマー予約録画が実行されている場合には、優先録画部のタイマー予約録画が実行されないとともに、タイマー予約録画が実行できない旨の警告がなされる一方、この警告は、優先録画部のタイマー予約録画開始時刻になされるので、優先録画部のタイマー予約録画開始時刻において、ユーザーが不在の場合には、ユーザーによって、優先順位の高いタイマー予約録画を選択することが困難になるという不都合がある。このため、優先的にタイマー予約録画が実行される録画部を設定した場合でも、優先順位の高いタイマー予約録画が実行されない場合があるという不都合がある。その結果、ユーザーの意図しない番組が録画されてしまう場合があるという問題点がある。
【０００７】
また、上記特許文献２に記載された記録再生装置では、予約録画時刻が重複しない番組予約を含めた全ての番組予約に対して優先順位を設定しなければならないので、登録される番組予約が多い場合には、各番組予約間の優劣を決定するのが困難になるという不都合がある。特に、特許文献２に記載の記録再生装置の構成を、複数の録画部（記録部）を有する記録再生装置に適用した場合には、録画可能時間の増加により、より多くの番組予約の登録が可能となるので、この場合には、各番組予約間における優劣関係がより複雑となる。このため、番組予約の優先順位を決定するのが困難になるので、番組予約の優先順位をユーザーが誤って設定してしまうおそれがあるという不都合がある。また、予約録画時刻が重複する番組予約が存在する場合でも、その旨の表示はされないので、いずれの番組予約の予約録画時刻が重複しているのか判断するのが困難になるという不都合がある。その結果、予約録画時刻が重複する番組予約がある場合に、ユーザーの意図しない番組が録画されてしまうおそれがあるという問題点がある。
【０００８】
この発明は、上記のような課題を解決するためになされたものであり、この発明の１つの目的は、複数の記録部を有するとともに、記録する日時が重複する予約情報が存在する場合でも、ユーザーの意図した映像音響情報を所定の記録部に記録することが可能な記録再生装置を提供することである。
【課題を解決するための手段】
【０００９】
この発明の第１の局面における記録再生装置は、外部からの信号を受信して複数の映像音響情報を取得するチューナ部と、チューナ部によって取得された複数の映像音響情報を記録するための複数の記録部と、複数の映像音響情報を所定の記録部に記録する日時を、予約情報として、それぞれ登録する予約情報登録手段とを備えた記録再生装置において、予約情報登録手段により登録された複数の予約情報について、記録する日時が重複する予約情報を検出するとともに、記録する日時が重複する予約情報を検出した場合に、所定の表示器の画面上に、記録する日時が重複する予約情報の重複状態を画像表示する画像表示手段を含む重複予約検出手段と、重複予約検出手段によって、記録する日時が重複する予約情報が検出された場合に、重複する予約情報のいずれの予約情報を優先するかを選択するため、所定の表示器の画面上で、記録部に予め優先順位を設定する優先順位設定手段と、優先順位設定手段により設定された優先的に記録が実行される記録部に映像音響情報を記録するための予約情報について、記録する日時が重複する予約情報が検出された場合に、重複する予約情報のいずれの予約情報を優先するかを設定する第１選択設定手段と、優先的に記録が実行される記録部に映像音響情報を記録するための予約情報と優先的に記録が実行される記録部以外の記録部に映像音響情報を記録するための予約情報とについて、記録する日時が重複する場合に、重複する予約情報のいずれの予約情報を優先するかを設定する第２選択設定手段と、所定の表示器の画面上に表示されるとともに、予約情報登録手段により登録された複数の予約情報を画像表示する予約情報表示手段と、予約情報登録手段によって登録された予約情報に基づいて、映像音響情報を所定の記録部に記録するとともに、重複予約検出手段によって、記録する日時が重複する予約情報が検出された場合に、優先順位設定手段、第１選択設定手段、または、第２選択設定手段により優先的に実行されることが設定された予約情報に基づいて、映像音響情報を所定の記録部に記録する予約記録実行手段と、予約記録実行手段によって記録部に記録された映像音響情報を所定の表示器の画面上に表示する映像音響情報表示手段とをさらに備える。
【００１０】
この発明の第２の局面における記録再生装置は、外部からの信号を受信して複数の映像音響情報を取得するチューナ部と、チューナ部によって取得された複数の映像音響情報を記録するための複数の記録部と、複数の映像音響情報を所定の記録部に記録する日時を、予約情報として、それぞれ登録する予約情報登録手段と、予約情報登録手段により登録された複数の予約情報について、記録する日時が重複する予約情報を検出する重複予約検出手段と、重複予約検出手段によって、記録する日時が重複する予約情報が検出された場合に、重複する予約情報のいずれの予約情報を優先するかを選択するため、記録部に予め優先順位を設定する優先順位設定手段と、優先順位設定手段により設定された優先的に記録が実行される記録部に映像音響情報を記録するための予約情報について、記録する日時が重複する予約情報が検出された場合に、重複する予約情報のいずれの予約情報を優先するかを設定する第１選択設定手段と、予約情報登録手段によって登録された予約情報に基づいて、映像音響情報を所定の記録部に記録するとともに、重複予約検出手段によって、記録する日時が重複する予約情報が検出された場合に、優先順位設定手段および第１選択設定手段により優先的に実行されることが設定された予約情報に基づいて、映像音響情報を所定の記録部に記録する予約記録実行手段とを備える。
【００１１】
この第２の局面による記録再生装置では、上記のように、記録する日時が重複する予約情報を検出する重複予約検出手段と、重複予約検出手段によって、記録する日時が重複する予約情報が検出された場合に、重複する予約情報のいずれの予約情報を優先するかを選択するため、記録部に予め優先順位を設定する優先順位設定手段とを備えることによって、優先順位の高い記録部への映像音響情報の記録が優先的に行われるので、優先順位の高い映像音響情報を、優先順位の高い記録部へ記録するように予約情報を登録することにより、優先順位の高い映像音響情報が優先的に記録されるように設定することができる。また、優先順位設定手段により設定された優先的に記録が実行される記録部へ映像音響情報を記録するための予約情報について、記録する日時が重複する予約情報が検出された場合に、重複する予約情報のいずれの予約情報を優先するかを設定する第１選択設定手段を備えることによって、優先順位の優劣をつけるのが困難な映像音響情報がある場合でも、記録する日時が重複することを確認した後、再度、いずれの予約情報を設定するか選択することができるので、映像音響情報の優先順位についてのユーザーの判断を容易にすることができるとともに、より優先順位の高い映像音響情報が優先的に記録されるように設定することができる。また、記録する日時が重複する予約情報が検出された場合に、優先順位設定手段および第１選択設定手段により優先的に実行されることが設定された予約情報に基づいて、映像音響情報を所定の記録部に記録する予約記録実行手段を備えることによって、優先順位の高い映像音響情報を優先的に記録部に記録することができるので、記録する日時が重複する予約情報が存在する場合でも、ユーザーの意図した映像音響情報を所定の記録部に記録することができる。
【００１２】
上記第２の局面による記録再生装置において、好ましくは、優先順位設定手段による優先順位の設定は、所定の表示器の画面上で行われ、重複予約検出手段は、記録する日時が重複する予約情報を検出した場合に、所定の表示器の画面上に、記録する日時が重複する予約情報の重複状態を画像表示する画像表示手段をさらに含む。このように構成すれば、予約情報の重複状態を、所定の表示器の画面上に表示された画像によって把握することができるので、ユーザーは、いずれの予約情報の日時が重複しているのかを容易に把握することができる。これにより、予約情報の記録時刻の全部または一部が重複していた場合でも、その重複状態を容易に把握することができるので、優先順位のより高い予約情報を容易に選択することができる。その結果、ユーザーの意図した映像音響情報を容易に記録部に記録することができる。
【００１３】
上記第２の局面による記録再生装置において、好ましくは、優先的に記録が実行される記録部に映像音響情報を記録するための予約情報と、優先的に記録が実行される記録部以外の記録部に映像音響情報を記録するための予約情報とについて、記録する日時が重複する場合に、重複する予約情報のいずれの予約情報を優先するかを設定する第２選択設定手段をさらに備える。このように構成すれば、優先順位の低い記録部へ映像音響情報を記録するように予約情報を登録した場合でも、記録する日時が重複することを確認した後、再度、いずれの予約情報を設定するか選択することができるので、優先順位の高い映像音響情報を、優先的に記録が実行される記録部以外の記録部に記録することができる。その結果、ユーザーの意図した映像音響情報をユーザーの意図した記録部に記録することができる。
【００１４】
上記所定の表示器の画面上に画像表示を行う構成において、好ましくは、所定の表示器の画面上に表示されるとともに、予約情報登録手段により登録された複数の予約情報を画像表示する予約情報表示手段をさらに備える。このように構成すれば、予約情報登録手段によって登録された予約情報の登録状況、および、記録する日時が重複する予約情報の記録時刻の重複状態を所定の表示器の画面上に表示された画像によって把握することができるので、所定の映像音響情報が所定の記録部に記録されるように予約情報が設定されているかを容易に確認することができる。
【００１５】
上記所定の表示器の画面上に画像表示を行う構成において、予約記録実行手段によって記録部に記録された映像音響情報を表示する映像音響情報表示手段をさらに備え、所定の表示器を、映像音響情報を表示する表示器と同一の表示器としてもよい。
【発明の効果】
【００１６】
本発明の第１の局面による記録再生装置では、重複予約検出手段を、記録する日時が重複する予約情報を検出した場合に、所定の表示器の画面上に、記録する日時が重複する予約情報の重複状態を画像表示する画像表示手段を含むように構成することによって、予約情報の重複状態を、所定の表示器の画面上に表示された画像によって把握することができるので、ユーザーは、いずれの予約情報の日時が重複しているのかを容易に把握することができる。これにより、予約情報の記録時刻の全部または一部が重複していた場合でも、その重複状態を容易に把握することができるので、優先順位のより高い予約情報を容易に選択することができる。その結果、ユーザーの意図した映像音響情報を容易に記録部に記録することができる。また、記録する日時が重複する予約情報を検出する重複予約検出手段と、重複予約検出手段によって、記録する日時が重複する予約情報が検出された場合に、重複する予約情報のいずれの予約情報を優先するかを選択するため、記録部に予め優先順位を設定する優先順位設定手段とを備えることによって、優先順位の高い記録部への映像音響情報の記録が優先的に行われるので、優先順位の高い映像音響情報を、優先順位の高い記録部へ記録するように予約情報を登録することにより、優先順位の高い映像音響情報が優先的に記録されるように設定することができる。また、優先順位設定手段により設定された優先的に記録が実行される記録部へ映像音響情報を記録するための予約情報について、記録する日時が重複する予約情報が検出された場合に、重複する予約情報のいずれの予約情報を優先するかを設定する第１選択設定手段を備えることによって、優先順位の優劣をつけるのが困難な映像音響情報がある場合でも、記録する日時が重複することを確認した後、再度、いずれの予約情報を設定するか選択することができるので、映像音響情報の優先順位についてのユーザーの判断を容易にすることができるとともに、より優先順位の高い映像音響情報が優先的に記録されるように設定することができる。
【００１７】
また、本発明の第１の局面では、優先的に記録が実行される記録部に映像音響情報を記録するための予約情報と、優先的に記録が実行される記録部以外の記録部に映像音響情報を記録するための予約情報とについて、記録する日時が重複する場合に、重複する予約情報のいずれの予約情報を優先するかを設定する第２選択設定手段を備えることによって、優先順位の低い記録部へ映像音響情報を記録するように予約情報を登録した場合でも、記録する日時が重複することを確認した後、再度、いずれの予約情報を設定するか選択することができるので、優先順位の高い映像音響情報を、優先的に記録が実行される記録部以外の記録部に記録することができる。その結果、ユーザーの意図した映像音響情報をユーザーの意図した記録部に記録することができる。また、所定の表示器の画面上に表示されるとともに、予約情報登録手段により登録された複数の予約情報を画像表示する予約情報表示手段を備えることによって、予約情報登録手段によって登録された予約情報の登録状況、および、記録する日時が重複する予約情報の記録時刻の重複状態を所定の表示器の画面上に表示された画像によって把握することができるので、所定の映像音響情報が所定の記録部に記録されるように予約情報が設定されているかを容易に確認することができる。また、記録する日時が重複する予約情報が検出された場合に、優先順位設定手段および第１選択設定手段により優先的に実行されることが設定された予約情報に基づいて、映像音響情報を所定の記録部に記録する予約記録実行手段を備えることによって、優先順位の高い映像音響情報を優先的に記録部に記録することができるので、記録する日時が重複する予約情報が存在する場合でも、ユーザーの意図した映像音響情報を所定の記録部に記録することができる。
【発明を実施するための最良の形態】
【００１８】
以下、本発明を具体化した実施形態を図面に基づいて説明する。なお、本実施形態では、記録再生装置の一例であるビデオレコーダに本発明を適用した場合について説明する。
【００１９】
図１は、本発明の一実施形態によるビデオレコーダの全体斜視図である。図２は、図１に示した本発明の一実施形態によるビデオレコーダのリモコン送信機の平面図である。図３は、図３は、図１に示した本発明の一実施形態によるビデオレコーダの構成を説明するためのブロック図である。まず、図１〜図３を参照して、本発明の一実施形態によるビデオレコーダ１の構造について説明する。
【００２０】
本実施形態によるビデオレコーダ１は、図１に示すように、コンテンツ（映像音響情報）を録画（記録）するための録画部（記録部）である、ＨＤＤ（Ｈａｒｄ  Ｄｉｓｋ  Ｄｒｉｖｅ）ドライブ２、ＤＶＤ（Ｄｉｇｉｔａ  Ｖｅｒｓａｔｉｌｅ  Ｄｉｓｋ）ドライブ３、および、ＶＣＲ（Ｖｉｄｅｏ  Ｃａｓｓｅｔｔｅ  Ｒｅｃｏｒｄｅｒ）ドライブ４を備えている。また、ビデオレコーダ１の正面には、図１に示すように、電源スイッチ５と、後述するリモコン送信機１０から送信される信号光を受光する信号受光部６と、外部光学記憶媒体であるＤＶＤメディア（図示せず）を挿入するためのＤＶＤ挿入部３ａおよび磁気記憶媒体であるビデオカセットテープ（図示せず）を挿入するためのビデオカセット挿入部４ａと、コンテンツの録画操作および再生操作をビデオレコーダ１側で行うための操作ボタン７と、ビデオレコーダ１の動作状態などを表示する表示部８とが設けられている。
【００２１】
また、ビデオレコーダ１には、ビデオレコーダ１に指令を送信するためのリモコン送信機１０が付属で備えられている。このリモコン送信機１０には、図２に示すように、電源ボタン１１と、外部モニタ４０（図３参照）の画面上にメニュー画面を表示させるためのメニューボタン１２と、テレビジョン放送の受信チャンネルなどを指定する複数の数字ボタン１３と、メニュー画面上で各種設定を行うための選択ボタン１４と、コンテンツの録画操作および再生操作の指令を行うための操作ボタン１５と、複数の録画部を切り替えるための切替ボタン１６と、各ボタンに対応する指令を信号光（リモコン信号）としてビデオレコーダ１に発信するための発光部１７とが設けられている。
【００２２】
また、図３に示すように、ビデオレコーダ１の内部には、上記したＨＤＤドライブ２、ＤＶＤドライブ３、および、ＶＣＲドライブ４以外に、電源部２０、制御部２１、制御プログラム記憶部（ＲＯＭ：Ｒｅａｄ  Ｏｎｌｙ  Ｍｅｍｏｒｙ）２２、録画予約用メモリ２３、メモリ（ＲＡＭ：Ｒａｎｄｏｍ  Ａｃｃｅｓｓ  Ｍｅｍｏｒｙ）２４、チューナ部２５、エンコーダ部２６、デコーダ部２７、ＯＳＤ回路部２８、および、加算器２９が設けられている。また、ビデオレコーダ１の背面には、テレビジョン放送を受信するためのアンテナ５０とチューナ部２５とを接続するための接続端子（図示せず）と、コンテンツを再生するための外部モニタ４０が接続される外部出力端子３０（図３参照）とが設けられている。
【００２３】
また、図１に示すように、電源スイッチ５は、ユーザーが押すことにより、電源部２０（図３参照）から各回路に電力が供給されるように構成されている。また、信号受光部６は、リモコン送信機１０から送信される信号光を受光した後、受光した信号光を電気信号に変換して制御部２１に与える機能を有している。これにより、リモコン送信機１０の各ボタンに対応した指令に基づいて、制御部２１により、ビデオレコーダ１の各種動作が制御される。
【００２４】
また、図２に示すように、リモコン送信機１０の各ボタンは、ユーザーが押し下げることによって、発光部１７から信号光が送信されるように構成されている。また、電源ボタン１１は、ユーザーが押し下げることによって、上記電源スイッチ５と同様に、電源部２０から各回路に電力が供給されるように構成されている。また、数字ボタン１３は、ユーザーが押し下げることによって、テレビジョン放送のチャンネルを選択することが可能に構成されているとともに、設定画面上において数字を入力することが可能に構成されている。また、選択ボタン１４は、左右上下方向へのカーソル移動を指示する４つの矢印ボタン１４ａと、４つの矢印ボタン１４ａの中央部に設けられた決定ボタン１４ｂとから構成されている。また、切替ボタン１６は、ユーザーが切替ボタン１６の１つを押し下げることにより、そのボタンに対応した録画部（ＨＤＤドライブ２、ＤＶＤドライブ３、または、ＶＣＲドライブ４）を、録画操作および再生操作が可能な状態に待機させるように構成されている。
【００２５】
また、図３に示すように、チューナ部２５は、アンテナ５０で受信した信号電波から、ユーザーによって指定された１つのチャンネルの信号電波を選択し、アナログのテレビジョン信号に復調する機能を有している。また、エンコーダ部２６は、チューナ部２５で復調されたアナログのテレビジョン信号をデジタル信号に変換するとともに、変換されたデジタル信号を符号化して圧縮する機能を有している。また、ＨＤＤドライブ２およびＤＶＤドライブ３は、エンコーダ部２６で変換されたデジタル圧縮信号を記録する機能を有している。また、ＨＤＤドライブは、高速回転する図示しない磁気ディスク（磁気記憶媒体）を内部に有しており、この磁気ディスクにデジタル信号が記録されることによって、アンテナ５０で受信されたテレビジョン信号がコンテンツとしてデジタル録画されるように構成されている。また、ＤＶＤドライブ３は、図示しない取り出し可能なＤＶＤメディア（外部光学記憶媒体）にデジタル信号が記録されることによって、アンテナ５０で受信されたテレビジョン信号がコンテンツとしてデジタル録画されるように構成されている。一方、ＶＣＲドライブ４は、図示しないビデオカセットテープに、チューナ部２５で復調されたアナログのテレビジョン信号が記録されることによって、アンテナ５０で受信されたテレビジョン信号がコンテンツとしてアナログ録画されるように構成されている。
【００２６】
また、デコーダ部２７は、ＨＤＤドライブ２およびＤＶＤドライブ３に記録されたデジタル圧縮信号を復元するとともに、復元されたデジタル信号をアナログ信号に変換する機能を有している。また、制御部２１は、現在時刻を計測するためのタイマー部２１ａを有するとともに、ビデオレコーダ１の各種動作およびデータ処理に関する制御を行う機能を有している。この制御部２１は、録画するコンテンツの日時および録画部を録画予約（予約情報）として録画予約用メモリ２３に登録するとともに、登録された録画予約（予約情報）に基づいて録画動作を実行する機能を有している。また、制御部２１は、録画予約用メモリ２３に登録された録画予約の録画開始時刻（日時）をタイマー部２１ａでモニタするとともに、録画予約の録画開始時刻（日時）に、録画予約に基づくチャンネルのテレビジョン信号を受信するように、チューナ部２５を制御し、かつ、チューナ部２５で受信したテレビジョン信号を、ＨＤＤドライブ２、ＤＶＤドライブ３、および、ＶＣＲドライブ４のいずれか１つの録画部、または、複数の録画部に録画（記録）するように制御する。なお、制御部２１は、本発明の「予約情報登録手段」、「画像表示手段」、「重複予約検出手段」、「優先順位設定手段」、「第１選択設定手段」、「第２選択設定手段」、「予約情報表示手段」、「予約記録実行手段」および「映像音響情報表示手段」の一例である。
【００２７】
また、制御プログラム記憶部２２には、ビデオレコーダ１の各種動作を制御するための制御プログラムが記憶されている。この制御プログラムが制御部２１に読み込まれることによって、制御部２１による各種動作およびデータ処理に関する制御が行われる。また、メモリ２４は、ＨＤＤドライブ２およびＤＶＤドライブ３が保持する各種データを一時的に記憶する媒体であるとともに、制御部２１によって各種動作およびデータ処理が行われる際に、処理データおよびユーザーからの指示命令などを一時的に記憶しておくためのバッファメモリとしての機能を有する。また、ＯＳＤ回路部２８は、制御部２１からの制御信号に基づいて、リモコン送信機１０の各ボタンの指示内容に対応した各種情報についてのＯＳＤ信号を生成する機能を有している。また、加算器２９は、デコーダ部２７またはＶＣＲドライブ４から送信されたアナログ信号と、ＯＳＤ回路部２８によって生成されたＯＳＤ信号とを合成して、外部出力端子３０に送信する機能を有している。
【００２８】
また、外部モニタ４０は、映像表示部４０ａと、スピーカ部４０ｂとから構成されている。この外部モニタ４０（映像表示部４０ａ）の画面上には、外部出力端子３０と接続されることによって、ビデオレコーダ１に録画（記録）されたコンテンツが再生されるとともに、ＯＳＤ回路部２８からのＯＳＤ信号によって、外部モニタ４０（映像表示部４０ａ）の画面上に設定画面が表示され、その設定画面上で、ビデオレコーダ１の各種設定操作が行われる。なお、外部モニタ４０は、本発明の「所定の表示部」の一例である。
【００２９】
図４は、図１に示した一実施形態によるビデオレコーダの録画予約動作を説明するためのフローチャートである。図５は、図４に示した一実施形態のステップＳ８の録画予約設定確認ルーチンの動作について説明するためのフローチャートである。図６〜図１１は、図１に示した一実施形態によるビデオレコーダの表示画面を示した図である。次に、図４および図６〜図１１を参照して、本実施形態によるビデオレコーダ１の録画予約動作について説明する。まず、図４のステップＳ１において、制御部２１により、ビデオレコーダ１の電源スイッチ５またはリモコン送信機１０の電源ボタン１１がＯＮ状態であるか否かが判断される。ステップＳ１において、制御部２１により、電源スイッチ５または電源ボタン１１がＯＮ状態ではないと判断された場合には、ステップＳ１における電源スイッチ５または電源ボタン１１がＯＮ状態であるか否かの判断が繰り返される。一方、ステップＳ１において、制御部２１により、電源スイッチ５または電源ボタン１１がＯＮ状態であると判断された場合には、ステップＳ２において、ユーザーが、リモコン送信機１０のメニューボタン１２を押し下げることにより、外部モニタ４０の画面上に図６に示すメニュー画面が表示される。このメニュー画面上で、ユーザーが、録画部の優先順位設定画面を選択することにより、図７に示す優先順位設定画面が外部モニタ４０の画面上に表示される。次に、ステップＳ３において、優先的に録画が実行される録画部を設定するために、ＨＤＤドライブ２、ＤＶＤドライブ３、および、ＶＣＲドライブ４に優先順位を設定する。その後、ステップＳ４において、図８に示すように、ユーザーにより、録画予約の登録が行われる。
【００３０】
次に、ステップＳ５において、制御部２１により、ステップＳ４で登録された複数の録画予約中に、録画する日時が重複する録画予約が存在するか否かが検出される。この録画する日時が重複する録画予約には、録画する日が同じで、録画する時刻の全体が重複する録画予約のほか、録画する時刻の一部が重複する録画予約も含まれる。また、ステップＳ５において、制御部２１により、録画する日時が重複する録画予約が存在しないと判断された場合には、ステップＳ１２に進む一方、制御部２１により、録画する日時が重複する録画予約が存在すると判断された場合には、ステップＳ６において、制御部２１により、録画する日時が重複する録画予約について、異なる録画部への録画予約であるか否かが判断される。この際、録画する日時が重複する録画予約が３つ以上存在し、そのうちの一部の録画予約が同一の録画部への録画予約である場合でも、他の録画予約が異なる録画部への録画予約である場合には、制御部２１により、異なる録画部への録画予約であると判断される。ステップＳ６において、制御部２１により、異なる録画部への録画予約であると判断された場合には、ステップＳ７において、制御部２１により、ステップＳ３で設定された優先順位の高い録画部への録画予約が、優先的に実行されるように設定される。その後、ステップＳ８において、制御部２１により、ステップＳ７で優先的に実行されるように設定された録画予約が所望のコンテンツを録画するための録画予約であるかを確認するための優先録画予約確認画面（図９参照）が表示される。また、優先録画予約確認画面では、ステップＳ７で優先的に実行されるように設定された録画予約が所望のコンテンツを録画するための録画予約でない場合に、ユーザーによって、優先的に録画が実行される録画予約に変更することが可能である。なお、ステップＳ８の優先録画予約確認画面の表示は、個別設定により、表示されないようにすることも可能である。
【００３１】
続いて、ステップＳ９において、制御部２１により、録画予約の重複が解消したか否かが判断される。すなわち、録画する日時が重複する録画予約が３つ以上存在し、優先的に録画が実行される録画部に２つ以上の録画予約が存在するとともに、ステップＳ８において、録画予約が変更されなかった場合には、ステップＳ７において、いずれの録画予約を設定するかを判断することができなくなる。この場合には、ステップＳ９において、制御部２１により、録画予約の重複が解消されていないと判断される。一方、録画する日時が重複する録画予約が３つ以上存在し、優先的に録画が実行される録画部に録画予約が１つ存在する場合、または、ステップＳ８において、録画予約が変更された場合には、ステップＳ７において設定された録画予約、または、ステップＳ８で変更された録画予約が、優先的に実行される録画予約となるので、ステップＳ９において、制御部２１により、録画予約の重複が解消したと判断される。以上のように、ステップＳ９において、制御部２１により、録画予約の重複が解消したと判断された場合には、ステップＳ１２に進む。一方、ステップＳ９において、制御部２１により、録画予約の重複が解消されていないと判断された場合には、ステップＳ６に戻る。
【００３２】
一方、ステップＳ６において、制御部２１により、異なる録画部への録画予約ではないと判断された場合、すなわち、同一の録画部への録画予約であると判断された場合には、ステップＳ１０において、制御部２１により、図１０に示すような録画予約の重複検出結果画面が表示される。この重複検出結果画面には、重複する録画予約の録画時刻の重複状態がマップ表示されている。また、マップ表示は、横軸に時間（時刻）軸が表示されており、これにより、録画する日時が重複する録画予約について、録画時刻の一部が重複する場合でも、どの時間帯が重複しているのかを容易に確認することが可能となる。その後、ステップＳ１１において、ユーザーにより、優先的に録画が実行される録画予約が選択される。これにより、優先順位の高いコンテンツの録画が実行されるように録画予約を設定することが可能となる。なお、マップ表示の下部には、図１０に示すように、選択した録画予約の設定が正しいか否かを確認する表示がなされる。たとえば、「この録画予約でいいですか？」などの表示がなされるとともに、それに対するユーザーの回答として、「はい」または「いいえ」を選択可能となっている。そして、ユーザーが「はい」を選択した場合には、録画予約の選択が終了する一方、ユーザーが「いいえ」を選択した場合には、再度、録画予約の選択が可能となる。なお、マップ表示は、本発明の「画像表示」の一例である。
【００３３】
次に、ステップＳ１２において、制御部２１により、登録または設定された録画予約の予約状況を確認するための録画予約設定確認画面が外部モニタ４０の画面上に表示される。この録画予約設定確認画面は、図１１に示すように、横軸に時間軸がとられることによって、録画する日時が重複する録画予約が存在する場合に、いずれの録画予約が優先的に実行されるように設定されているかを確認できるように構成されている。
【００３４】
その後、ステップＳ１３において、ユーザーにより、録画予約を変更するか否かが判断される。ステップＳ１３において、ユーザーにより、録画予約を変更すると判断された場合には、ステップＳ３に戻り、ステップＳ３〜Ｓ１２の動作が繰り返される。一方、ステップＳ１３において、ユーザーにより、録画予約を変更しないと判断された場合には、ステップＳ１４へと進む。最後に、ステップＳ１４において、制御部２１により、設定された録画予約に基づいて、所定の録画部にコンテンツが録画される。なお、所定の録画部の録画残量が少ないために、録画予約したコンテンツの全てが録画できない場合には、他の録画部に、コンテンツの残りの部分が録画されるように制御部２１によって制御される。
【００３５】
続いて、図５および図９を参照して、図４に示した一実施形態のステップＳ８の優先録画予約確認ルーチンの動作について説明する。まず、図４のステップＳ１０１において、制御部２１により、外部モニタ４０の画面上に優先録画予約確認画面（図９参照）が表示される。次に、ステップＳ１０２において、録画予約を変更しない場合には、優先録画予約確認ルーチンは終了する。一方、ステップＳ１０２において、録画予約をユーザーが変更した場合には、ステップＳ１０３において、ユーザーにより、録画予約が選択される。その後、ステップＳ１０４において、制御部２１により、ユーザーが選択した録画予約が、優先的に録画が実行される録画予約として設定され、優先録画予約確認ルーチンが終了する。
【００３６】
本実施形態では、上記のように、制御部２１を、録画する日時が重複する録画予約を検出した場合に、外部モニタ４０の画面上に、録画する日時が重複する録画予約の重複状態をマップ表示するように構成することによって、録画予約の重複状態を、外部モニタ４０の画面上に表示されたマップ画像によって把握することができるので、ユーザーは、いずれの録画予約の日時が重複しているのかを容易に把握することができる。これにより、録画予約の録画時刻の全部または一部が重複していた場合でも、その重複状態を容易に把握することができるので、優先順位のより高い録画予約を容易に選択することができる。その結果、ユーザーの意図したコンテンツを容易に録画部に録画することができる。
【００３７】
また、本実施形態では、制御部２１を、録画する日時が重複する録画予約を検出するように構成するとともに、制御部２１によって、録画する日時が重複する録画予約が検出された場合に、重複する録画予約のいずれの録画予約を優先するかを選択するため、録画部に予め優先順位を設定可能に構成することによって、優先順位の高い録画部へのコンテンツの録画が優先的に行われるので、優先順位の高いコンテンツを、優先順位の高い録画部へ録画するように録画予約を登録することによって、優先順位の高いコンテンツが優先的に記録されるようにすることができる。
【００３８】
また、本実施形態では、制御部２１を、優先的に録画が実行される録画部への録画予約について、録画する日時が重複する録画予約が検出された場合に、重複する録画予約のいずれの録画予約を優先するかを設定可能に構成することによって、優先順位の優劣をつけるのが困難なコンテンツがある場合でも、録画する日時が重複することを確認した後、再度、いずれの録画予約を設定するか選択することができるので、コンテンツの優先順位についてのユーザーの判断を容易にすることができるとともに、より優先順位の高いコンテンツが優先的に録画されるように設定することができる。
【００３９】
また、本実施形態では、制御部２１を、優先的に録画が実行される録画部への録画予約と、優先的に録画が実行される録画部以外の録画部への録画予約とについて、録画する日時が重複する場合に、重複する録画予約のいずれの録画予約を優先するかを設定可能に構成することによって、優先順位の低い録画部へコンテンツを録画するように録画予約を登録した場合でも、録画する日時が重複することを確認した後、再度、いずれの録画予約を設定するか選択することができるので、優先的に記録が実行される録画部以外の録画部に優先順位の高いコンテンツを録画することができる。その結果、ユーザーの意図したコンテンツをユーザーの意図した録画部に録画することができる。
【００４０】
また、本実施形態では、制御部２１を、登録された録画予約を外部モニタ４０の画面上にマップ表示するように構成することによって、録画する日時が重複する録画予約の記録時刻の重複状態を外部モニタ４０の画面上に表示されたマップ表示画像によって把握することができるので、所定のコンテンツが所定の録画部に録画されるように録画予約が設定されているか否かを容易に確認することができる。
【００４１】
また、本実施形態では、制御部２１を、録画する日時が重複する録画予約が検出された場合に、上記設定された録画予約に基づいて、コンテンツを所定の録画部に録画するように構成することによって、優先順位の高いコンテンツを優先的に録画部に録画することができるので、録画する日時が重複する録画予約が存在する場合でも、ユーザーの意図したコンテンツを所定の録画部に録画することができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、本発明をビデオレコーダに適用した例を示したが、本発明はこれに限らず、複数の録画部（記録部）を備えた記録再生装置であれば、ビデオレコーダ以外の記録再生装置に用いてもよい。たとえば、テレビジョン電波信号を受信可能なパーソナルコンピュータなどに本発明を適用してもよい。
【００４４】
また、上記実施形態では、ＯＳＤ回路、および、加算器によって、コンテンツを再生する外部モニタの画面上に、録画予約の重複状態などをマップ表示した例を示したが、本発明はこれに限らず、コンテンツを再生する外部モニタ以外の表示モニタまたは表示器の画面上に、録画予約の重複状態などをマップ表示するようにしてもよい。
【００４５】
また、上記実施形態では、マップ表示の横軸に時間軸を用いた例を示したが、本発明はこれに限らず、録画する日時（時刻）の重複を認識可能な画像表示であれば、時間軸以外の構成を用いてマップ表示するようにしてもよい。
【００４６】
また、上記実施形態では、複数の録画部（記録部）として、ＨＤＤドライブ、ＤＶＤドライブ、および、ＶＣＲドライブを用いた例を示したが、本発明はこれに限らず、コンテンツを録画する録画部が複数あれば、上記以外の録画部の構成を有する記録再生装置に本発明を適用してもよい。また、複数のＨＤＤドライブが搭載された記録再生装置、または、複数の領域（パーティション）が設けられたＨＤＤドライブが搭載された記録再生装置に、本発明を適用してもよい。また、ＤＶＤドライブの代わりに、ブルーレイディスクドライブなどの光学式ドライブが搭載された記録再生装置に、本発明を適用してもよい。
【００４７】
また、上記実施形態では、録画予約設定確認画面を、優先的に実行される録画予約を設定した後に表示するようにした例を示したが、本発明はこれに限らず、録画予約設定確認画面は、録画予約が登録された後であれば、任意に表示させることが可能である。
【００４８】
また、上記実施形態では、アナログのテレビジョン電波信号が受信可能なチューナ部を用いた例を示したが、本発明はこれに限らず、デジタルのテレビジョン電波信号が受信可能なデジタルチューナ部を用いるようにしてもよい。
【図面の簡単な説明】
【００４９】
【図１】本発明の一実施形態によるビデオレコーダの全体斜視図である。
【図２】図１に示した本発明の一実施形態によるビデオレコーダのリモコン送信機の平面図である。
【図３】図１に示した本発明の一実施形態によるビデオレコーダの構成を説明するためのブロック図である。
【図４】図１に示した一実施形態によるビデオレコーダの録画予約動作を説明するためのフローチャートである。
【図５】図４に示した一実施形態のステップＳ８の優先録画予約確認ルーチンの動作について説明するためのフローチャートである。
【図６】図１に示した一実施形態によるビデオレコーダの表示画面を示した図である。
【図７】図１に示した一実施形態によるビデオレコーダの表示画面を示した図である。
【図８】図１に示した一実施形態によるビデオレコーダの表示画面を示した図である。
【図９】図１に示した一実施形態によるビデオレコーダの表示画面を示した図である。
【図１０】図１に示した一実施形態によるビデオレコーダの表示画面を示した図である。
【図１１】図１に示した一実施形態によるビデオレコーダの表示画面を示した図である。
【符号の説明】
【００５０】
１      ビデオレコーダ
２      ＨＤＤドライブ（記録部）
３      ＤＶＤドライブ（記録部）
４      ＶＣＲドライブ（記録部）
５      電源スイッチ
６      信号受光部
７      操作ボタン
８      表示部
１０    リモコン送信機
１１    電源ボタン
１２    メニューボタン
１５    操作ボタン
１７    発光部
２０    電源部
２１    制御部（予約情報登録手段、画像表示手段、重複予約検出手段、
優先順位設定手段、第１選択設定手段、第２選択設定手段、
予約情報表示手段、予約記録実行手段、映像音響情報表示手段）
２１ａ  タイマー部
２５    チューナ部
２８    ＯＳＤ回路部
２９    加算器
３０    外部出力端子
４０    外部モニタ（所定の表示器）
５０    アンテナ
【図１】
2007266816.tif 000003
【図２】
2007266816.tif 000004
【図３】
2007266816.tif 000005
【図４】
2007266816.tif 000006
【図５】
2007266816.tif 000007
【図６】
2007266816.tif 000008
【図７】
2007266816.tif 000009
【図８】
2007266816.tif 000010
【図９】
2007266816.tif 000011
【図１０】
2007266816.tif 000012
【図１１】
2007266816.tif 000013